(57)【特許請求の範囲】
【請求項１】
交流電源から調光器を介して電力供給を受ける照明装置であって、
前記調光器を介して供給された電力を整流する整流回路と、
前記整流回路の出力側に接続され、前記調光器の調光レベルに応じて前記整流回路から出力される電圧が変化しても所定の電圧の出力を維持する昇降圧コンバータと、
前記昇降圧コンバータの出力側に接続された発光モジュールと、
前記調光器の調光レベルを検出する調光レベル検出回路と、
前記調光レベル検出回路により検出された調光レベルに応じた電流が前記発光モジュールに供給されるように、前記昇降圧コンバータを制御する制御回路とを備え、
前記制御回路を動作させる電力が、前記昇降圧コンバータの出力側から供給されていること
を特徴とする照明装置。
【請求項２】
前記昇降圧コンバータは、
第１の端子が前記整流回路の正極側および負極側の出力端子の一方に接続され、第２の端子が前記整流回路の正極側および負極側の出力端子の他方にスイッチ素子を介して接続されたインダクタと、
第１の端子が前記インダクタの第１および第２の端子のうちの前記整流回路の正極側の出力端子に接続された端子に接続され、第２の端子が前記インダクタの第１および第２のうちの前記整流回路の負極側の出力端子に接続された端子に整流素子を介して接続されたキャパシタとを備え、
前記制御回路は、電力供給を受け付ける電源入力端子を有し、前記制御回路の電源入力端子が、前記キャパシタの第２の端子に接続されていること
を特徴とする請求項１に記載の照明装置。
【請求項３】
前記調光器の調光レベルが最小のときに前記キャパシタの第２の端子に生じる電圧が、前記制御回路を動作させるための最小入力電圧よりも小さくならないように、前記インダクタのインダクタンスが設定されていること
を特徴とする請求項２に記載の照明装置。
【請求項４】
前記キャパシタの容量が、８０［μＦ］と同じかそれよりも大きいこと
を特徴とする請求項２に記載の照明装置。
【請求項５】
前記調光レベル検出回路は、前記整流回路の正極側および負極側の出力端子間の電圧を検出することにより、前記調光器の調光レベルを検出すること
を特徴とする請求項１に記載の照明装置。
【請求項６】
前記調光レベル検出回路は、
第１の端子が前記整流回路の正極側の出力端子に第１の抵抗素子を介して接続され、第２の端子が前記整流回路の負極側の出力端子に接続され、制御端子が前記第１の端子に接続された第１のトランジスタと、
第１の端子が前記整流回路の負極側の電圧よりも高い電圧を発生させる定電圧源に第２の抵抗素子を介して接続され、第２の端子が前記整流回路の負極側の出力端子に接続され、制御端子が前記第１のトランジスタの制御端子に接続された第２のトランジスタとを備え、
前記制御回路は、前記調光器の調光レベルを示す電圧を受け付ける制御入力端子を有し、前記制御回路の制御入力端子が、前記第２の抵抗素子における前記定電圧源に接続された端子とは反対側の端子に接続されていること
を特徴とする請求項５に記載の照明装置。
【請求項７】
前記第２の抵抗素子における前記定電圧源に接続された端子とは反対側の端子と前記第２のトランジスタの第１の端子との間を結ぶ配線に、温度コントロールスイッチが挿入されていること
を特徴とする請求項６に記載の照明装置。
【請求項８】
前記調光レベル検出回路は、さらに、第１の端子が前記第２の抵抗素子における前記定電圧源に接続された端子とは反対側の端子に接続され、第２の端子が前記整流回路の負極側の出力端子に接続されたキャパシタを備え、前記キャパシタの容量が０．１［μＦ］と同じかこれよりも大きく、０．５［μＦ］と同じかこれよりも小さいこと
を特徴とする請求項６に記載の照明装置。
【請求項９】
前記発光モジュールは、正極側の入力端子と負極側の入力端子とを結ぶ配線に直列に挿入された複数の発光素子を備え、前記直列に挿入された発光素子の順方向電圧の合計が、前記調光器の調光レベルが最小のときの前記調光器の出力電圧よりも高いこと
を特徴とする請求項１に記載の照明装置。
【請求項１０】
さらに、前記整流回路の入力側に、前記調光器の保持電流を流すための抵抗素子が接続されていること
を特徴とする請求項１に記載の照明装置。
【発明の詳細な説明】
【技術分野】
【０００１】
本発明は、ＬＥＤ（Light Emitting Diode）等の発光素子を備えた照明装置に関し、特に、発光素子を点灯させる点灯回路に関する。
【背景技術】
【０００２】
近年、省エネルギーの観点から、白熱電球に代替する電球形のＬＥＤ照明装置が数多く提案されている。ＬＥＤ照明装置の点灯回路には、交流電力を整流する整流回路（Rectifier Circuit）、整流回路の出力側に接続された昇降圧コンバータ（Buck-Boost Converter）、昇降圧コンバータの出力側に接続された発光モジュール、昇降圧コンバータを制御する制御回路などが備えられている（例えば、特許文献１参照）。
【先行技術文献】
【特許文献】
【０００３】
【特許文献１】特開２００８−２３５５３０号公報
【発明の概要】
【発明が解決しようとする課題】
【０００４】
従来、白熱電球を調光する手段としてトライアックを用いた調光器が広く利用されている。そのため、ＬＥＤ照明装置においても既存の調光器を流用できるようにするのが望ましい。
しかしながら、従来のＬＥＤ照明装置では、既存の調光器を用いた場合に、調光レベルが小さな範囲（すなわち照度が低い範囲）で照度を調整することができないという問題がある。これは、調光器の調光レベルが小さくなれば、それだけＬＥＤ照明装置に供給される電力が低下するため、昇降圧コンバータを制御する制御回路を正常に動作させるのに必要な電圧が確保できなくなるからである。その結果、制御回路の動作が停止し、ＬＥＤが消灯してしまう。
【０００５】
本発明は、調光器を用いて調光することができ、しかも、照度が低い範囲でも照度を調整することができる照明装置を提供することを目的とする。
【課題を解決するための手段】
【０００６】
本発明に係る照明装置は、交流電源から調光器を介して電力供給を受ける照明装置であって、前記調光器を介して供給された電力を整流する整流回路と、前記整流回路の出力側に接続された昇降圧コンバータと、前記昇降圧コンバータの出力側に接続された発光モジュールと、前記調光器の調光レベルを検出する調光レベル検出回路と、前記調光レベル検出回路により検出された調光レベルに応じた電流が前記発光モジュールに供給されるように、前記昇降圧コンバータを制御する制御回路とを備え、前記制御回路を動作させる電力が、前記昇降圧コンバータの出力側から供給されている。
【発明の効果】
【０００７】
上記構成によれば、制御回路は、調光器の調光レベルに応じた電流を発光モジュールに供給することができる。したがって、調光器を用いて調光することができる。さらに、上記構成によれば、制御回路を動作させる電力が昇降圧コンバータの出力側から供給される。昇降圧コンバータは、調光レベルが小さくなり、それだけ照明装置に供給される電力が低下したとしても、出力電圧を一定に保つことができる。したがって、照度が低い範囲でも、制御回路を正常に動作させることができるので、照度を調整することができる。
【図面の簡単な説明】
【０００８】
【図１】本発明の実施形態に係る照明装置の構造を示す断面図
【図２】本発明の実施形態に係る照明装置の点灯回路を示す回路図
【図３】（ａ）は、調光レベルが最大値のときの整流回路の出力電圧、（ｂ）は調光レベルが最大値のときの昇降圧コンバータにおけるノードＮ２の電圧、（ｃ）は調光レベルが中間値のときの整流回路の出力電圧、（ｄ）は調光レベルが中間値のときの昇降圧コンバータにおけるノードＮ２の電圧を示す図
【図４】昇降圧コンバータの入力電圧および出力電圧を示す図
【図５】調光器の調光レベルを変化させたときの照明装置の照度変化の測定結果を示すグラフ
【発明を実施するための形態】
【０００９】
本発明を実施するための形態を、図面を参照して詳細に説明する。
＜外形＞
図１は、本発明の実施形態に係る照明装置の構造を示す断面図である。
照明装置１は、ＬＥＤ（「発光素子」に相当する）を光源として備えるＬＥＤモジュール（「発光モジュール」に相当する）３と、ＬＥＤモジュール３を搭載する搭載部材５と、搭載部材５を一端に備えるケース７と、ＬＥＤモジュール３を覆うグローブ９と、ＬＥＤを点灯させる点灯回路１１と、点灯回路１１を内部に格納し且つケース７内に配された回路ホルダ１３と、ケース７の他端に設けられた口金部材１５とを備える。
【００１０】
ＬＥＤモジュール３は、ＬＥＤが実装された絶縁基板１７と、絶縁基板１７上においてＬＥＤを被覆する封止体１９とを備える。封止体１９は、例えば、透光性材料と、ＬＥＤから発せられた光の波長を所定の波長へと変換する変換材料とからなる。具体的には、シリコーン樹脂に蛍光体粒子を分散して成型したものである。
搭載部材５は、熱伝導性の高い材料からなる円盤状の部材であり、ネジ２１により回路ホルダ１３に連結されている。熱伝導性の高い材料としては、例えば、アルミニウム等の金属材料を利用することができる。搭載部材５の外周面がケース７の内周面に接しているので、ＬＥＤモジュール３で発生した熱は、搭載部材５を介してケース７に伝導される。
【００１１】
ケース７は、熱放射性の高い材料からなる筒状の部材である。熱放射性の高い材料としては、例えば、アルミニウム等の金属材料を利用することができる。ケース７の内部には、回路ホルダ１３が収容されている。
グローブ９は、搭載部材５とケース７とを組み合わせたときにできる溝部に嵌め込まれ、その溝部に接着剤２３が充填されることにより搭載部材５およびケース７に固定されている。
【００１２】
点灯回路１１は、絶縁基板２５に各種の電子部品が実装されたものであり、回路ホルダ１３の内面に固定されている。点灯回路１１の出力端子とＬＥＤモジュール３の入力端子とは、配線２７により電気的に接続されている。
回路ホルダ１３は、絶縁性材料からなる。絶縁性材料としては、例えば、合成樹脂（具体的には、ポリブチレンテレフタレート（ＰＢＴ）である。）を利用することができる。
【００１３】
口金部材１５は、照明器具のソケットに取着され、このソケットを介して給電を受けるためのものである。具体的には、エジソン式の口金を利用することができる。口金部材１５は、回路ホルダ１３に固定されている。口金部材１５と点灯回路１１の入力端子とは、配線により電気的に接続されている。
＜回路構成＞
図２は、本発明の実施形態に係る照明装置の点灯回路を示す回路図である。
【００１４】
照明装置１は、主に、整流回路（Rectifier Circuit）３１、ノイズフィルタ（Noise Filter）回路３３、力率改善（Power Factor Correction）回路３５、昇降圧コンバータ（Buck-Boost Converter）３７、調光レベル検出回路３９、制御回路４１およびＬＥＤモジュール３を備える。照明装置１は、交流電源４５からトライアックを用いた調光器４７を介して電力供給を受ける。
【００１５】
整流回路３１、ノイズフィルタ回路３３、力率改善回路３５および昇降圧コンバータ３７は、この順に縦続接続（Cascade Connection）されている。ＬＥＤモジュール３は、２４個のＬＥＤを直列に接続した直列接続体を２組（４０［Ｗ］相当品）または４組（６０［Ｗ］相当品）並列接続したものである。調光レベル検出回路３９は、調光器４７の調光レベルを検出するものである。制御回路４１は、調光レベル検出回路３９により検出された調光レベルに応じた電流がＬＥＤモジュール３に供給されるように、昇降圧コンバータ３７を制御するものである。なお、昇降圧コンバータ３７に含まれるスイッチ素子Ｍ１と制御回路４１とがひとつのパッケージに封止されたＬＥＤドライバ４３を利用してもよい。例えば、ＬＥＤドライバ４３として、ＭＩＰ５５１またはＭＩＰ５５２（パナソニック社製）を利用することができる。制御回路４１を動作させる電力は、昇降圧コンバータ３７の出力側から供給されている。
【００１６】
以下、昇降圧コンバータ３７、調光レベル検出回路３９および制御回路４１の詳細について説明する。
昇降圧コンバータ３７は、インダクタＬ１、スイッチ素子Ｍ１、整流素子ＦＲＤ、キャパシタＣ８および抵抗素子Ｒ６から構成されている。インダクタＬ１の第１の端子は、整流回路３１の正極側の出力端子（以下、「プラス端子」という）に接続され、インダクタＬ１の第２の端子は、スイッチ素子Ｍ１を介して整流回路３１の負極側の出力端子（以下、「マイナス端子」という）に接続されている。キャパシタＣ８の第１の端子は、インダクタＬ１の第１の端子に接続され、キャパシタＣ８の第２の端子は、整流素子ＦＲＤを介してインダクタの第２の端子に接続されている。整流素子は、具体的には、逆回復時間の短い高速整流ダイオード（Fast Recovery Diode）である。抵抗素子Ｒ６の第１の端子は、キャパシタＣ８の第１の端子に接続され、抵抗素子Ｒ６の第２の端子は、キャパシタＣ８の第２の端子に接続されている。
【００１７】
調光レベル検出回路３９は、抵抗素子Ｒ１，Ｒ２，Ｒ５、トランジスタＴｒ１，Ｔｒ２、キャパシタＣ６、正極性サーミスタＰＴＣから構成されている。トランジスタＴｒ２のコレクタ端子は、整流回路３１のプラス端子に抵抗素子Ｒ５を介して接続され、トランジスタＴｒ２のエミッタ端子は、整流回路３１のマイナス端子に接続され、トランジスタＴｒ２のベース端子は、コレクタ端子に接続されている。また、トランジスタＴｒ１のコレクタ端子は、定電圧端子ＶＤＤに抵抗素子Ｒ１を介して接続され、トランジスタＴｒ１のエミッタ端子は、整流回路３１のマイナス端子に接続され、トランジスタＴｒ２のベース端子は、トランジスタＴｒ１のベース端子に接続されている。トランジスタＴｒ１，Ｔｒ２は、カレントミラー（Current Mirror）回路を構成している。キャパシタＣ６の第１の端子は、制御回路４１の制御入力端子ＥＸに接続されると共に抵抗素子Ｒ２を介してノードＮ１に接続され、キャパシタＣ６の第２の端子は、整流回路３１のマイナス端子に接続されている。正極性サーミスタＰＴＣは、温度が高くなるほど抵抗値が非線形に高くなる素子である。これは、トランジスタＴｒ１のコレクタ端子とノードＮ１とを結ぶ配線に挿入されており、温度に応じてＬＥＤモジュール３の照度を変化させる温度コントロールスイッチとして機能する。
【００１８】
制御回路４１は、電源入力端子Ｖｉｎ、定電圧端子ＶＤＤ、制御入力端子ＥＸ、制御入力端子Ｌを備える。電源入力端子Ｖｉｎは、制御回路４１を動作させる電力の供給を受ける端子である。本実施形態では、電圧入力端子Ｖｉｎの最小入力電圧は４５［Ｖ］とする。電源入力端子Ｖｉｎは、キャパシタＣ８の第２の端子（すなわち、昇降圧コンバータ３７の出力端子のうち高電位側の出力端子）に接続されている。定電圧端子ＶＤＤは、制御回路４１内部の定電圧源により生成された定電圧（例えば、５．８［Ｖ］）を出力する端子である。制御入力端子ＥＸは、調光器４７の調光レベルを示す電圧を受け付ける端子である。制御回路４１には、交流電源４５からの入力電圧が上限を超えた場合や下限を下回った場合に動作を停止させる機能を有している。制御入力端子Ｌは、その上限および下限を設定するための電圧を受け付ける端子である。本実施形態では、調光レベルに応じて入力電圧が変動することを前提としているため、入力電圧の上限および下限を設定しない仕様にしている。これは、抵抗素子Ｒ３，Ｒ４の抵抗値を適切に設定することにより実現することができる。制御回路４１は、高周波（例えば、４４［ｋＨｚ］）でスイッチ素子Ｍ１のオンオフを制御することにより、ＬＥＤモジュール３に定電流を流すことができる。本実施形態では、定電流の大きさは、制御入力端子ＥＸへの入力電圧が高いほど小さくなるものとする。
＜回路動作＞
以下、照明装置１の回路動作を説明する。
【００１９】
昇降圧コンバータ３７の出力電圧は、ＬＥＤモジュール３の順方向電圧と同程度になるように設定されている。本実施形態では、ＬＥＤモジュール３内では２４個のＬＥＤが直列に接続されている。ＬＥＤの１個当たりの順方向電圧を３．２［Ｖ］とすると、ＬＥＤモジュール３の順方向電圧は７６．８［Ｖ］となる。
制御回路４１の制御によりスイッチ素子Ｍ１がオフからオンに移行すると、整流回路３１の出力電圧がインダクタＬ１に印加され、インダクタＬ１を介してスイッチ素子Ｍ１に電流が流れる。スイッチ素子Ｍ１がオンの期間には、インダクタＬ１に流れる電流が一定の割合で増加する。この割合は、整流回路３１の出力電圧とインダクタＬ１のインダクタンスとに応じて決まる。インダクタＬ１に電流が流れることにより、インダクタＬ１には磁気エネルギーが蓄積される。
【００２０】
逆に、制御回路４１の制御によりスイッチ素子Ｍ１がオンからオフに移行すると、スイッチ素子Ｍ１に流れていた電流が遮断される。インダクタＬ１に蓄積された磁気エネルギーに基づいて逆起電力が発生し、インダクタＬ１、整流素子ＦＲＤ、ＬＥＤモジュール３、インダクタＬ１の順路で電流が流れる。スイッチ素子Ｍ１がオフの期間には、ＬＥＤモジュール３に流れる電流が一定の割合で減少する。この割合は、ＬＥＤモジュール３の順方向電圧および整流素子ＦＲＤの順方向電圧の合計電圧と、インダクタＬ１のインダクタンスとに応じて決まる。
【００２１】
制御回路４１は、制御入力端子ＥＸへの入力電圧に応じた電流がＬＥＤモジュール３に流れるように、スイッチ素子Ｍ１のオンオフを制御する。本実施形態では、制御入力端子ＥＸへの入力電圧が高くなるほど、ＬＥＤモジュール３に流れる電流が小さくなる。
調光レベル検出回路３９では、整流回路３１の出力電圧の変動に応じた脈流（Pulsating Current）が抵抗素子Ｒ５に流れる。この脈流はカレントミラー回路によりコピーされるので、抵抗素子Ｒ１にも同様の脈流が流れることになる。制御回路４１の制御入力端子ＥＸには、抵抗素子Ｒ２およびキャパシタＣ６からなる積分回路によりノードＮ１の電圧が平均化されて入力される。調光器４７を用いて調光点灯した場合、整流回路３１の出力電圧の平均値が低下するので、抵抗素子Ｒ１，Ｒ５に流れる脈流の平均値が低下し、その分だけノードＮ１の電圧の平均値が上昇する。すなわち、ノードＮ１の電圧の平均値は、調光器４７の調光レベルを示す電圧であると言える。制御回路４１は、制御入力端子ＥＸへの入力電圧に応じてＬＥＤモジュール３に流す電流を変化させるので、調光器４７の調光レベルに応じて照度を変化させることができる。
【００２２】
図３（ａ）は、調光レベルが最大値のときの整流回路の出力電圧、（ｂ）は調光レベルが最大値のときの昇降圧コンバータにおけるノードＮ２の電圧、（ｃ）は調光レベルが中間値のときの整流回路の出力電圧、（ｄ）は調光レベルが中間値のときの昇降圧コンバータにおけるノードＮ２の電圧を示す。
調光器４７の出力電圧は、交流の半周期において、ゼロクロスから遅延時間Ｔｄが経過するまではゼロに維持され、遅延時間Ｔｄが経過すれば正弦波形で変化する。遅延時間Ｔｄを調整することが調光レベルを調整することに相当する。
【００２３】
整流回路３１の出力電圧は、図３（ａ），（ｃ）に示すように、交流の半周期において、まず電圧Ｖａに達するまで上昇し、電圧Ｖａに達してからは遅延時間Ｔｄが経過するまで電圧Ｖａに維持され、遅延時間Ｔｄが経過すれば正弦波形で変化する。電圧Ｖａは、力率改善回路３５による電圧上昇分である。なお、図３（ａ）に示すように、調光器４７では調光レベルを最大値にしても、遅延時間Ｔｄは０［ｍｓ］にはならない。
【００２４】
昇降圧コンバータ３７におけるノードＮ２の電圧は、図３（ｂ），（ｄ）に示すように、多少の変動幅で変動している。ただし、昇降圧コンバータ３７の出力電圧は、キャパシタＣ８により平滑化されるので、安定した直流電圧となる。
図４は、昇降圧コンバータの入力電圧および出力電圧を示す図である。入力電圧ＩＮは、調光レベルに応じて変化している。一方、出力電圧ＯＵＴは、調光レベルが最大（ＭＡＸ）から最小（ＭＩＮ）までの範囲では、７６．８［Ｖ］を維持している。
【００２５】
仮に、制御回路４１の電源入力端子Ｖｉｎを昇降圧コンバータ３７の入力側に接続した場合（従来技術に相当する）、調光レベルを最大から低下させていくと、それに伴い電源入力端子Ｖｉｎへの入力電圧も低下する。そして、電源入力端子Ｖｉｎへの入力電圧が４５［Ｖ］に達したときに、制御回路４１の動作が停止し、ＬＥＤモジュール３が消灯してしまう。したがって、調光レベルが最大からｄ１までの範囲でしか調光することができない。
【００２６】
これに対し、制御回路４１の電源入力端子Ｖｉｎを昇降圧コンバータ３７の出力側に接続した場合（本実施形態に相当する）、調光レベルが最大から最小までの範囲において、制御入力端子Ｖｉｎへの入力電圧は７６．８［Ｖ］に維持され、４５［Ｖ］を下回ることがない。したがって、調光レベルが最大から最小までの範囲において調光することができる。
【００２７】
以上のように本実施形態によれば、制御回路４１は、調光器４７の調光レベルに応じた電流を発光モジュールに供給することができる。したがって、調光器を用いて安定的に調光することができる。さらに、制御回路４１を動作させる電力が昇降圧コンバータ３７の出力側から供給される。昇降圧コンバータ３７の出力電圧は、調光レベルが小さくなり、その分だけ照明装置１に供給される電力が低下したとしても、制御回路４１の最小入力電圧（４５［Ｖ］）以上に維持される。したがって、照度が低い範囲でも、制御回路４１を安定動作させることができるので、調光器４７の調光レベルに応じて照度を調整することができる。
＜実証＞
発明者らは、調光器４７の調光レベルを変化させたときの照明装置１の照度の変化を測定した。図５は、その測定結果を示すグラフである。これによれば、遅延時間Ｔｄを大きくするほど（調光レベルを小さくするほど）、照度を低下させることができることが分かる。制御回路４１の最小照明装置１の照度が遅延時間Ｔｄに対して直線的に変化している。これは、遅延時間Ｔｄを最小（調光レベルを最小）にしても、昇降圧コンバータ３７の出力電圧が制御回路４１の最小入力電圧（４５［Ｖ］）を下回らないからである。したがって、照度が低い範囲において、制御回路４１の入力電圧不足によりＬＥＤモジュール３が突然消灯してしまうということがなく、広い照度範囲において照度を調整できることが分かる。
＜その他の特徴＞
（１）昇降圧コンバータのインダクタ
トライアックを用いた調光器４７では、調光レベルを最小にしても出力電圧がゼロにはならず、実効値（Root Mean Square）で数十［Ｖ］程度の電圧が出力される（電源電圧が１００［Ｖ］の場合）。
【００２８】
昇降圧コンバータ３７では、調光器４７の調光レベルが最小のときにキャパシタＣ８の第２の端子に生じる電圧が、制御回路４１を動作させるための最小入力電圧（４５［Ｖ］）よりも小さくならないように、インダクタＬ１のインダクタンスが設定されている。キャパシタＣ８の第２の端子に生じる電圧とは、制御回路４１の電源入力端子Ｖｉｎに入力される電圧である。これにより、調光レベルを低下させたときにＬＥＤモジュール３が消灯するまで制御回路４１を安定的に動作させることができる。
（２）照明装置のちらつきの防止
昇降圧コンバータ３７において、キャパシタＣ８の容量が８０［μＦ］と同じかそれよりも大きくしてある。これにより、昇降圧コンバータ３７の出力電圧を平滑することができ、照明装置のちらつきを防止することができる。
【００２９】
また、調光レベル検出回路３９において、キャパシタＣ６の容量が０．１［μＦ］と同じかこれよりも大きく、０．５［μＦ］と同じかこれよりも小さくしてある（０．１［μＦ］≦Ｃ６の容量≦０．５［μＦ］）。これにより、ノードＮ１の電圧を適切に平均化することができ、照明装置のちらつきを防止することができる。
（３）過熱保護機能（Over Temperature Protection）
調光レベル検出回路３９では、温度コントロールスイッチとして正極性サーミスタＰＴＣが備えられている。したがって、ＬＥＤモジュール３や制御回路４１が異常に発熱した場合に、正極性サーミスタＰＴＣが動作して抵抗素子Ｒ１に流れる電流を制限することができる。これにより、ＬＥＤモジュール３に流れる電流を低減することができ、その結果、発熱を抑え、照明装置１を保護することができる。なお、このような異常な発熱は、照明装置１を通常の環境で使用した場合には生じず、異常な高温環境（例えば、照明装置１が密閉された器具内に設置されている場合など）で使用した場合に生じ得るものである。正極性サーミスタＰＴＣとしては、例えば、温度が９５［℃］未満であればほとんど抵抗がなく、９５［℃］以上であれば抵抗が４．７［ｋΩ］以上に急増する特性のものを利用することができる。
（４）ＬＥＤモジュールの順方向電圧
ＬＥＤモジュール３の順方向電圧は７６．８［Ｖ］である。また、ＬＥＤモジュール３の消灯電圧は５０［Ｖ］である。これらは、調光器４７の調光レベルが最小のときの調光器４７の出力電圧（実効値で数十［Ｖ］程度）よりも高い。従来技術では、このような場合に、照度が低い範囲で照度を調整することができないという問題が生じやすい。本実施形態では、このような場合であっても、照度が低い範囲で照度を調整することができる。
（５）調光器の正常な動作の確保
整流回路３１の入力側には、抵抗Ｒａ，Ｒｂが接続されている。抵抗Ｒｂは、調光器４７の保持電流（Holding Current）を流すための抵抗素子である。抵抗素子Ｒｂの抵抗値は、例えば、８０［Ω］とする。これにより、調光器４７の正常な動作を確保することができる。
（６）制御回路の電源電圧
照明装置１では、電源入力端子Ｖｉｎに商用電源電圧を入力することができるＬＥＤドライバ４３が利用されている。例えば、ＭＩＰ５５１およびＭＩＰ５５２の入力電圧は、８０［Ｖ］〜２８０［Ｖ］である。これにより、ＬＥＤドライバの電源電圧を生成するための回路を用意する必要がなく、部品点数を削減することができる。
＜変形例＞
以上、本発明の構成を実施形態に基づいて説明したが、本発明は上記実施形態に限られない。例えば、以下のような変形例を挙げることができる。
（１）実施形態では、温度コントロールスイッチとして正極性サーミスタＰＴＣを備えているが、これは過熱保護機能を実現するためのオプションである。温度コントロールスイッチを備えていなくてもよい。また、実施形態では、温度コントロールスイッチとして正極性サーミスタＰＴＣを採用しているが、これに限らず、温度ヒューズなどを採用してもよい。特に、所定温度未満であればオンし、所定温度以上であればオフするような素子を採用すれば、所定温度以上になった場合に、ＬＥＤモジュール３への電流の供給を停止することができる。
（２）実施形態では、整流回路３１の出力側にノイズフィルタ回路３３が接続されているが、これに限らず、整流回路３１の入力側に接続されることとしてもよい。
（３）実施形態では、昇降圧コンバータ３７において、スイッチ素子Ｍ１がインダクタＬ１よりも低電位側に接続されているが、これに限らず、スイッチ素子Ｍ１がインダクタＬ１よりも高電位側に接続されていてもよい。この場合、インダクタＬ１の第１の端子は、スイッチ素子Ｍ１を介して整流回路３１のプラス端子に接続され、インダクタＬ１の第２の端子は、整流回路３１のマイナス端子に接続される。
（４）実施形態では、力率改善回路３５を備えているが、これは力率改善機能を実現するためのオプションである。力率改善回路３５を備えていなくてもよい。
（５）実施形態では、整流回路３１は全波整流回路であるが、これに限らず、半波整流回路でもよい。
（６）実施形態では、スイッチ素子としてＭＯＳ（Metal Oxide Semiconductor）トランジスタを採用しているが、これに限らず、ＩＧＢＴ（Insulated Gate Bipolar Transistor）、バイポーラトランジスタなどを採用してもよい。
（７）実施形態では、カレントミラー回路を構成するトランジスタにバイポーラトランジスタを採用しているが、これに限らず、ＭＯＳトランジスタを採用してもよい。
（８）実施形態では、ＬＥＤモジュール３においてＬＥＤの直列数を２４個とし、これが２組または４組並列接続されていることとしているが、本発明はこれに限らない。ＬＥＤの個数は必要とする輝度に応じて適宜決定すればよい。
（９）実施形態では、ＬＥＤドライバ４３にＭＩＰ５５１またはＭＩＰ５５２を採用しているが、本発明はこれに限らない。また、実施形態では最小入力電圧等の具体的な数値を挙げているが、これは、単なる例示である。
（１０）実施形態では、調光レベルが最小のときでも昇降圧コンバータの出力電圧が７６．８［Ｖ］を維持しているが、本発明はこれに限らない。調光レベルが最小のときの昇降圧コンバータの出力電圧が、制御回路の最小入力電圧およびＬＥＤモジュールの消灯電圧のうちの高いほうよりも高ければ、調光レベルが最大から最小までの範囲において調光することができる。例えば、本実施形態において、調光レベルが最小のときに昇降圧コンバータの出力電圧が５０［Ｖ］よりも高ければ、調光レベルが最大から最小までの範囲において調光することができる。調光レベルが最小のときの昇降圧コンバータの出力電圧は、インダクタのインダクタンスを調整することにより、適宜調整することができる。
【産業上の利用可能性】
【００３０】
本発明は、一般照明に利用可能である。
【符号の説明】
【００３１】
１    照明装置
３    ＬＥＤモジュール
５    搭載部材
７    ケース
９    グローブ
１１    点灯回路
１３    回路ホルダ
１５    口金部材
１７    絶縁基板
１９    封止体
２１    ネジ
２３    接着剤
２５    絶縁基板
２７    配線
３１    整流回路
３３    ノイズフィルタ回路
３５    力率改善回路
３７    昇降圧コンバータ
３９    調光レベル検出回路
４１    制御回路
４３    ＬＥＤドライバ
４５    交流電源
４７    調光器
【図１】
0005410906.tif 000002
【図２】
0005410906.tif 000003
【図３】
0005410906.tif 000004
【図４】
0005410906.tif 000005
【図５】
0005410906.tif 000006